(57)【要約】      （修正有）【課題】魚が飲み込んだ釣り針を一定の場所に収納し再針掛かりせず容易に外す事が出来る針外し器の提供。【解決手段】針先誘導部１は緩やかに尖ったテーパー状の厚みの有る構造で楕円形状の穴を持ち適宜な上向の角度を持たせた構造で、先端誘導部１の穴の部分に釣り糸を通すスリット部８で、スライドノブ４は針先誘導部１から引きバネ５にと繋がっていてスライドノブ４を前方に押すとスリット８部分が露出し針先誘導部１の穴に釣り糸を通しスライドノブ４を放すと引きバネ５によりスリット部分８は本体２の内部に収納され釣り針は針先誘導部１の穴にホールドされ針先収納部３に収納される。この針外し器に釣り糸を通して釣り糸を張った状態のまま口の奥方向にしっかり押し込み針外し器と一緒に前後に動かせば再度針掛かりせずに外れる。【選択図】図１
2020092685.tif 000002
【特許請求の範囲】
【請求項１】
魚の飲み込んだ釣り針を図面１−▲１▼の針先誘導部により確実に図面図１−▲３▼の針先収納部に誘導収納し再び針掛かりせずに容易に釣り針を外せる構造。
【請求項２】
図面１−▲１▼の針先誘導部は緩やかに尖ったテーパー状の厚みの有る構造で楕円形状の穴を持ち適宜な上向の角度を持たせ釣り糸を通す為の（図面１−▲８▼）のスリット部分を持つ構造。
【請求項３】
先端構造部の穴部分に釣り糸を通す為の図面１−▲４▼スライドノブを全方に押し図面１−▲８▼のスリット部分を露出させ釣り糸を通した後図面１−▲５▼の引きバネによりスリット部分を収納し釣り糸を穴に保持する事で操作を容易にした構造。
【発明の詳細な説明】
【技術分野】
【０００１】この釣り針外し器は魚が飲み込んだ釣り針を一定の場所に収納し再針掛かりせず容易に外す事が出来る針外し器である。
【先行技術文献】
【特許文献】
【０００２】
【発明の概要】
【発明が解決しようとする課題】
【０００３】魚が飲み込んだ釣り針を外す時再度針掛かりするなどで苦労する事が有る。
【発明が解決する為の手段】
【０００４】図面１の▲１▼の針先誘導部により確実に針先収納部図面１の▲３▼に釣り針の針先を収納する事で再針掛かりを無くした事。
【発明の効果】
【０００５】大きい魚は魚を寝かし置いた状態で針外し器に釣り糸を通して釣り糸を張った状態のまま口の奥方向にしっかり押し込み針外し器と一緒に前後に動かせば再度針掛かりせずに外れる、又釣り糸を持ってぶら下げられる位の魚の場合釣り糸で魚をぶら下げた状態で同様に針外し器をセットし釣り糸を張った状態のまま上下に揺すれば再度針掛かりせずに外れる。
【図面の簡単な説明】
【図１】図面１の▲１▼の針先誘導部は緩やかに尖ったテーパー状の厚みの有る構造で楕円形状の穴を持ち適宜な上向の角度を持たせた構造で、先端誘導部の穴の部分に釣り糸を通す図１の▲８▼のスリット部で図１の▲４▼のスライドノブは針先誘導部から引きバネにと繋がっていてスライドノブを前方に押すとスリット部分が露出し針先誘導部の穴に釣り糸を通しスライドノブを放すと図１の▲５▼の引きバネによりスリット部分は図１の▲２▼本体内部に収納され釣り針は針先誘導部の穴にホールドされ図１の▲３▼の針先収納部に収納される。▲７▼は釣り糸を保護する凸部
【発明を実施するための形態】
【０００６】（図面１）とほぼ同様な形態。
【図１】
2020092685.tif 000003
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
針先誘導部である（図面１参照）、針先誘導部は緩やかに尖った厚みの有るテーパ状の構造であり、楕円形でテーパ状の穴を持ち４０度位の上向角度を持たせた構造で釣針が引っかかったりせずスムーズに確実に針先収納部に収容するのを助ける構造である、又針先誘導部はスライド出来る構造で前に押し出す事で先誘導の元に設けたエル形のスリット部を露出させて針先誘導部の穴に釣り糸を簡単に通せ、容易な操作で素早く確実に釣針外し器をセット出来る構造としている。
【請求項２】
針先収納部（図面１参照）を持つ事を特徴とする釣り針針外し器である針先収納部は針先誘導部により誘導され収納した釣針を、針先誘導部のエル型のスリットの一部と相まって一定の場所にしっかり保持でき、又ガード出来る構造としているので釣針外し器自体から釣針や釣り糸が外れる事を無くした事で再針掛りせず、容易に釣針を外すことが出来る釣針外し装置である。
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
針先誘導部の外形は弾丸を縦に切断した断面の様な流線形とし、又先端から徐々に厚みを増した構造とした事でその中に下側から上側に向かい徐々に広くなった傾斜の有る楕円形の穴を設けて釣針の頭部の通過を妨げない構造で、又針先誘導部のスリット部分から右側は本体の丸いパイプの前半を潰した平たいパイプの中に入る様に加工して、針先誘導部と本体との段差を上下左右共無くし、針先誘導部と本体の堺で本体に対し３０度上方に曲げて有り、それらの構造、構成で釣針外し器が釣り針を捉えるまでの移動を妨げない構造の針先誘導部を持つ釣針外し器。
【請求項２】
針先誘導部に釣糸を通す為設けたスリットは穴の右端から右側に４ミリから６ミリ位の部分で９０度上方に曲がり外部に開放されている構造で、針先誘導部を本体外部から前後に４ミリから６ミリ位可動出来るスライドノブを設けそれを前方に押すとスリットが露出し、そこから穴に釣糸を通してノブを放すと引きバネによりスリット部は自動的に本体内に収納されて釣糸を穴に閉じ込める構造とし、釣針外し器から釣糸が外れる事を無くした、請求項１で記載の釣り針外し器。
【請求項３】
針先誘導部が釣り針を捉えると再針掛りし難い構造として有るが、再針掛かりを無くす為に針先誘導部が釣り針を捉えると同時に針先収納部に収まる構造とし有り針先収納部の下側に捉えた釣り針を挟むように２個の逆三角形（円弧でも可）の釣り針のガードを設け、釣り針の先を隠して保護しつつ釣り針を左右からガードする構造で、再針掛かりし難い構造の針先収納部を持った、請求項２で記載の釣り針外し器。
【手続補正２】
【補正対象書類名】明細書
【補正対象項目名】全文
【補正方法】変更
【補正の内容】
【発明の詳細な説明】
【技術分野】
【０００１】  本発明は、魚が飲み込み奥に刺さった釣り針を外す為の釣り針外し器に関する。
【先行技術文献】
【０００２】
【特許文献】
【特許文献】（１）特開２００８−７３０３６、（２）特開２００５−１８５１８５、（３）特開２００２−９５４００
【発明が解決しようとする課題】
【０００３】上記の３件共形状などで回転させ難く釣り針と角度を合わせ難く、釣針を捉えられない事が有る、糸外れ、最針掛かり、操作が難しい又（１）、（２）の場合、魚が暴れたりした時逆方向に再針掛かりする可能性、などの幾つかの要因を取り除き慣れない方でも使い易く、釣針を外せる様にする事である。
【発明が解決する為の手段】
【０００４】（Ａ）▲１▼には外部から糸通す為のスリット部が有り▲２▼の外部からスライドノブにより▲１▼を４ミリから６ミリ位可動出来る構造としスライドノブを前に押して釣糸を通してノブを放すとバネの作用で自動的にスリットは▲２▼に収納されスリット部分は隠れて釣糸を穴に閉じ込める事で糸外れを無くした。
（Ｂ）▲２▼は丸い小径のパイプなのでその端を軽く持ち挿入する事で自然に釣針との角度が合い、釣針を捉え易い構造として有るが、念の為釣糸を軽く張った状態で魚の口に挿入すると釣り針に行き、止れば本体の右端を軽く左右に回して抵抗が有れば、そのまま奥に押し込めば外れる、釣り針を上手く捉えられていなくても、この動作で釣針を捉える確立が大きい。（Ｃ）▲１▼の先端から▲８▼まで徐々に厚みを増した形状であり、その厚みが有ることで、▲１▼の中に楕円形ですり鉢のような上部が広くなった傾斜の有る穴を設ける事が出来て、その構造で釣り針の頭が通過するのを妨げず、又▲１▼の外形は弾丸を縦に切断した断面の様な流線形として本体に対し上向きに３０度位曲げて有り、針先誘導部は平たくしたパイプの部分に入るように加工してあり又▲１▼と▲２▼の段差を上下左右共無くしており、釣針が引っ掛ったりしない構造とした、以上の構造と構成が相まって釣り針外し器が釣り針を捉える位置までの移動を妨げる事がなく釣針外し器が釣針を捉え釣針を外し易くした事。（Ｄ）確実性を増す為の構造で有るが、▲３▼の部分の下側には▲１▼が捉えた釣針の針先を隠し左右から釣針を保護する逆三角形状のガード（円弧でも良い）を設けた構造でありＡ，Ｂ，Ｃ，Ｄの構造の構成で、慣れない方が乱暴に扱っても再針掛かりしない釣針外し器で、特に強く針掛かりして外し難い場合でも外れるまで強く何度押し引きしても糸外れや再針掛かりし難い構造とした事。
【発明の効果】
【０００５】▲８▼から釣糸を通して▲２▼の端を軽く持ち、糸を張った状態のまま魚の口から挿入して行き着き止まったら▲２▼の端を持ち軽く左右に回して回り難かったら釣り針と釣針外し器の角度が合って釣針を捉えているので本体と釣糸の持ち、押し込めば大半の場合魚に触らず外せる、又釣糸でぶら下げられる位の魚ならぶら下げたまま上記同様に釣り外し器を魚の奥に押し込み釣針外し器と釣糸を一緒に持って上下に揺すれば外れる又釣り針の形状や魚の種類などの違いによって外しづらい場合でも釣糸を張った状態で有れば何回押し引きしても再針掛かりや糸外れはし難い造りなので、外れるまで強く押し引きしても大丈夫な釣針外し器を作れた。
現在最終試作器を３年位実証試験的に荒っぽく扱って使用し続けているが、ほぼトラブル無く外せている。
【発明を実施するための形態】
【０００６】長さは１８〜１９ｃｍ位で材質はステンレスパイプで直径は６〜８ｍｍ位で図面とほぼ同様な外形で発明が解決する手段で解説の構造、構成が望ましい。
【図面の簡単な説明】
【図１】  本発明の平面図及び横断面図。
【０００７】▲１▼は平面図上側の図の針先誘導部でこの釣り外し器の主要な構造部位の呼び名。
▲２▼は丸パイプを潰して平たいパイプとした部分を含めた部分で、スライドノブ、引きバネ、釣糸保護の凸部、針先ガード、針先収納部、等が有る部位。
▲３▼は針先収納部で釣り針を保持して守る部分の呼び名で、横断面図の上側の図▲３▼で指している部分に有る逆三角形状のものは針先ガード。
▲４▼はスライドノブで針先誘導部に繋がり▲１▼を動かす操作部。
▲５▼は引きバネで針先誘導部を本体に引き付けスリット部分を本体に収容するバネ。
▲７▼は釣糸保護の凸部でその位置と長さを調整する事で１５号以上の大きい釣り針にも対応出来る。
▲８▼は針先誘導部の穴に糸を通す為のスリット部は穴と外部に通じた切り欠き。